(57)【特許請求の範囲】
【請求項１】
屋外光を採り入れる採光手段と、明るさを計測する計測手段と、
屋内を照明する照明手段と、該採光手段と該計測手段と該照明手段とを制御する制御手段と、を備えるとともに、前記制御手段は、あらかじめ定められた設定時刻に、前記採光手段によって屋外光を採り入れさせ、屋外光を採り入れた屋内の明るさを前記計測手段によって計測させ、光量が不足する場合に前記照明手段によって屋内を照明させる光量制御システムであって、
前記制御手段は、前記設定時刻に前記採光手段を一度全開にすることにより、前記屋外光を前記屋内に最大限に取り入れた後、前記計測手段によって計測された屋内の照度が前記設定照度になるまで、前記採光手段を閉じる制御を行うことを特徴とする光量制御システム。
【請求項２】
前記設定時刻は、利用者が入力した起床時刻より前に段階的に複数定められるとともに、
該設定時刻ごとに段階的に前記設定照度が定められることを特徴とする請求項１に記載の光量制御システム。
【請求項３】
前記計測手段を複数備えることを特徴とする請求項１又は２に記載の光量制御システム。
【請求項４】
前記制御手段は、前記採光手段が手動で開かれた場合には、前記設定時刻より前に前記採光手段を閉じさせることを特徴とする請求項１乃至請求項３のいずれか一項に記載の光量制御システム。
【発明の詳細な説明】
【技術分野】
【０００１】
本発明は、屋外光を屋内に採り入れる光量制御システムに関するものである。
【背景技術】
【０００２】
従来、寝ている人間を目覚まし時計などによって覚醒させた場合、急な刺激によって不快に感じることがあった。
【０００３】
この問題を解決するために、例えば、特許文献１では、照度を低照度から中照度へと緩やかに増加させ、中照度から高照度へと急速に増加させることによって、夜明け前後の自然光を再現し、心地よい目覚めをもたらすことが開示されている。
【０００４】
また、特許文献２では、はじめに照明手段によって室内を明るくし、その後、照明手段と開口部からの採り入れ自然光とによって室内をさらに明るくするため、目覚め時の心地よさを得ることができる。
【特許文献１】特開平７−３１８６７０号公報
【特許文献２】特開２００５−３１０４３８号公報
【発明の開示】
【発明が解決しようとする課題】
【０００５】
しかしながら、上記した特許文献１，２では、始めから照明手段を用いることを前提としているため、屋外が明るいときでも照明手段を用いることとなり、屋外光を十分に利用できないという問題があった。
【０００６】
そこで、本発明は、屋外光を十分に利用することによって、心地よい目覚めをもたらすことができる光量制御システム及び光量制御方法を提供することを目的としている。
【課題を解決するための手段】
【０００７】
前記目的を達成するために本発明は、屋外光を採り入れる採光手段と、明るさを計測する計測手段と、屋内を照明する照明手段と、該採光手段と該計測手段と該照明手段とを制御する制御手段と、を備えるとともに、前記制御手段は、あらかじめ定められた設定時刻に、前記採光手段によって屋外光を採り入れさせ、屋外光を採り入れた屋内の明るさを前記計測手段によって計測させ、光量が不足する場合に前記照明手段によって屋内を照明させる光量制御システムであって、前記制御手段は、前記設定時刻に前記採光手段を一度全開にすることにより、前記屋外光を前記屋内に最大限に取り入れた後、前記計測手段によって計測された屋内の照度が前記設定照度になるまで、前記採光手段を閉じる制御を行うことを特徴とする。
【００１０】
そして、前記設定時刻は、利用者が入力した起床時刻より前に段階的に複数定められるとともに、該設定時刻ごとに段階的に前記設定照度が定められることができる。
【００１２】
また、前記計測手段を複数備えることが好ましい。
【００１３】
そして、前記制御手段は、前記採光手段が手動で開かれた場合には、前記設定時刻より前に前記採光手段を閉じさせることが好ましい。
【発明の効果】
【００１４】
このように、本発明の光量制御システムは、屋内の明るさを調整する光量制御システムであって、制御手段は、あらかじめ定められた設定時刻に、採光手段によって屋外光を採り入れさせ、屋外光を採り入れた屋内の明るさを計測手段によって計測させ、光量が不足する場合に照明手段によって屋内を照明させることを特徴とする。
【００１５】
したがって、屋外光を十分に利用することによって、心地よい目覚めをもたらすことができる。
【００１８】
そして、設定時刻は、利用者が入力した起床時刻より前に段階的に複数定められるとともに、設定時刻ごとに段階的に設定照度が定められることで、屋外光を利用しつつ、段階的に照度を高めて、心地よい目覚めをもたらすことができる。
【００１９】
さらに、前記制御手段は、前記設定時刻に前記採光手段を一度全開にし、その後、前記計測手段によって計測された屋内の照度を前記設定照度に合わせることで、単純な漸増光だけでなく強い光も入るため、刺激になってより目覚めやすい状態になる。
【００２０】
また、計測手段を複数備えることで、迷光による誤動作を防止できるうえに、計測手段の設置場所による計測誤差を低減することができる。
【００２１】
そして、制御手段は、採光手段が手動で開かれた場合には、設定時刻より前に採光手段を閉じさせることで、採光手段が開かれたままになって、設定照度を超える屋外光が屋内に入り込んでしまうことを防止できる。
【発明を実施するための最良の形態】
【００２２】
以下、本発明の最良の実施の形態について図面を参照して説明する。
【００２３】
まず、図２を用いて本発明の光量制御システム１を備える建物６の全体構成を説明する。
【００２４】
本発明の建物６は、図２に示すように、壁６１，６１と、屋根６３と、床６４と、を備えている。
【００２５】
このうち、一方の壁６１は、日の出の際に太陽８が昇ったときに太陽８からの日射である屋外光ＰＳを直に受けることができるように南に向いている。
【００２６】
なお、この壁６１の向きは、南向きの他、東向きであってもよいし、北向きであっても、反射光などによって屋外９１の屋外光ＰＳを受けることができればよい。
【００２７】
また、この一方の壁６１には、窓６２が形成されていることで、屋外９１の屋外光ＰＳの一部を屋内９２に採り入れることができる。
【００２８】
そして、本実施の形態の光量制御システム１は、図１に示すように、屋内９２に、計測手段としての照度センサ３，３と、照明手段としての蛍光灯４と、採光手段としてのブラインド２と、制御手段としてのリモコン５と、を備えている。
【００２９】
この照度センサ３，３は、屋内９２の照度を計測するために屋内９２の壁６１に設置されるもので、ＰＮ接合に光が入射した際の起電力を利用するフォトダイオードや、このフォトダイオードの微電流を増幅する増幅回路を有するフォトトランジスタなどによって形成されている。
【００３０】
そして、照度センサ３，３は、ケーブル１３，１３によってリモコン５に接続されているため、計測した照度をリモコン５に送信することができる。
【００３１】
また、蛍光灯４は、屋内９２を照明光ＰＬによって照明するためのもので、リモコン５に接続されるケーブル１４の途中には、電圧や電流を変えることで蛍光灯４の明るさを調整する調光器４２が設けられており、リモコン５からの指令を受信して明るさを調整できる。
【００３２】
そして、ブラインド２は、図３に示すように、窓６２の上部の窓枠６２ａに取り付けられるもので、窓から入り込む屋外光ＰＳを採光又は遮蔽する羽２１，・・・と、最上部のボックス２４と、羽２１，・・・を昇降させるコード２６，２６が接続されたレール２５と、利用者が手動で羽２１，・・・の角度を調整したり羽２１，・・・を昇降させたりするための紐２７と、を備えている。
【００３３】
このボックス２４は、内部にモータ２２を備えることで、羽２１，・・・を昇降させるコード２６，２６を巻き取ったり羽２１，・・・の角度を変えたりできる。加えて、ボックス２４の下面には、羽２１，・・・の開閉具合を感知する開度センサ２３が取り付けられている。
【００３４】
この開度センサ２３は、最上部の羽２１と接触することによって羽２１，・・・の角度を感知するもので、物理的な機構を有するものであれば、接触以外でも磁力を用いたものなどでもよい。
【００３５】
そして、このモータ２２や開度センサ２３は、ケーブル１２によって制御手段としてのリモコン５に接続されているため、モータ２２の回転数や羽２１，・・・の開度などをリモコン５に送信することができるとともに、リモコン５からの指令を受信してモータ２２を回転して羽２１，・・・を昇降・開閉することができる。
【００３６】
また、リモコン５は、設定状態などを表示する表示部（不図示）と、手動でブラインド２を昇降・開閉する操作部（不図示）と、を備えるもので、屋内９２の人間７２が寝るベッド７１の脇に設置される。
【００３７】
そして、このリモコン５は、照度センサ３，３とケーブル１３，１３によって、蛍光灯４とケーブル１４によって、ブラインド２とケーブル１２によって、それぞれ接続されてこれらを制御している。
【００３８】
なお、リモコン５と照度センサ３，３や蛍光灯４やブラインド２との接続は、ケーブル１３，１４，１２を用いる方式でなくても赤外線などの無線方式でもよい。
【００３９】
この制御手段としてのリモコン５は、内部に現在時刻が設定されたタイマ（不図示）を備えており、利用者の操作によって入力された起床時刻Ｔｉや、この起床時刻Ｔｉを基準として内部計算された設定時刻Ｔ１，Ｔ２，Ｔ３が設定されている。
【００４０】
なお、この設定時刻Ｔ１，Ｔ２，Ｔ３は、起床時刻Ｔｉを基準として内部計算されるほか、利用者の操作によって入力されるものであってもよい。
【００４１】
そして、リモコン５は、設定時刻Ｔ１，Ｔ２，Ｔ３になると、ブラインド２を開閉・昇降させるとともに、照度センサ３，３によって屋内９２の照度を計測させて、この計測された照度と設定照度Ｌ１，Ｌ２，Ｌ３とを比較した上で、必要ならモータ２２を駆動させてブラインド２を開閉・昇降させたり、調光器４２を調整して蛍光灯４を調光させたりする指令を与える。
【００４２】
さらに、このリモコン５は、上記の目覚まし機能をＯＮ／ＯＦＦに切り替え可能なスイッチを有しているため、利用者の都合に応じて、目覚まし機能を作動させないようにすることもできる。
【００４３】
次に、本実施の形態の光量制御システム１による光量制御方法について、図４〜図７に示すフローチャートを用いて説明する。
【００４４】
まず、図４に示すフローチャートによって、全体の流れを説明する。
【００４５】
本実施の形態の光量制御システム１による光量制御方法では、はじめに、手動によって、制御手段としてのリモコン５に内蔵されたタイマに起床時刻Ｔｉを設定する（ステップＳ１００）。
【００４６】
例えば、前日の夜にリモコン５のボタン（不図示）を操作するなどして、翌日の朝の起床時刻Ｔｉとして７時を設定する。
【００４７】
次に、翌朝の起床時刻Ｔｉよりも前に羽２１，・・・を閉じることで、ブラインド２を初期化する（ステップＳ１１０）。
【００４８】
すなわち、ブラインド２は、設定された時刻に自動的に開閉・昇降される他、利用者によって任意時刻に開閉されることがある。
【００４９】
しかしながら、翌朝の始動時にブラインド２が完全に閉じていないと、始動時よりも前に屋外光ＰＳが屋内９２に入り込んでしまう。
【００５０】
そこで、以上のような不具合を防止するため、設定された起床時刻Ｔｉの１時間前などにブラインド２の羽２１，・・・を完全に閉じておく。
【００５１】
なお、このブラインド２を初期化する時刻は、起床時刻Ｔｉの４時間前など、起床時刻Ｔｉよりも前で、かつ、前日の就寝前のブラインド２の使用を妨げないような時刻であればどのような時間に設定されるものでもよい。
【００５２】
次に、起床時刻Ｔｉよりも前の第１の設定時刻Ｔ１に、屋内９２の照度を設定照度Ｌ１に調整する（ステップＳ１２０）。
【００５３】
同様に、第１の設定時刻Ｔ１よりも後で起床時刻Ｔｉよりも前の第２の設定時刻Ｔ２に、屋内９２の照度を設定照度Ｌ２に調整する（ステップＳ１３０）。
【００５４】
最後に、第２の設定時刻Ｔ２よりも後で起床時刻Ｔｉよりも前の第３の設定時刻Ｔ３に、屋内９２の照度を設定照度Ｌ３に調整する（ステップＳ１４０）。
【００５５】
以下、図５のフローチャートを用いて、ブラインド２の羽２１を閉じて初期化するステップＳ１１０の具体的な流れについて説明する。
【００５６】
なお、以下で説明するステップＳ１１０，Ｓ１２０においては、例として、起床時刻Ｔｉとして７時００分、初期化する時刻として６時００分、設定時刻Ｔ１として６時３０分の場合について説明する。
【００５７】
まず、ある一定の時間間隔をおいて、制御手段としてのリモコン５の内部に設定されたタイマから現在時刻を取得し（ステップＳ１１０１）、起床時刻Ｔｉとして設定された７時の１時間前の６時かどうかを判定する（ステップＳ１１０２）。
【００５８】
判定の結果、６時になっていれば、ブラインド２のモータ２２を駆動させることで、羽２１，・・・を下降させるとともに角度を変化させ、ブラインド２を完全に閉じさせて（ステップＳ１１０３）、初期化の処理を終了する。
【００５９】
一方、６時になっていなければ、ある一定の時間間隔をおいて時刻の読み込みを繰り返す（ステップＳ１１０１〜ステップＳ１１０２）。
【００６０】
次に、図６のフローチャートを用いて、屋内９２の照度を設定照度Ｌ１に調整するステップＳ１２０について説明する。
【００６１】
まず、ある一定の時間間隔をおいて、制御手段としてのリモコン５の内部に設定されたタイマから現在時刻を取得し（ステップＳ１２０１）、起床時刻Ｔｉとして設定された７時の３０分前の６時３０分かどうかを判定する（ステップＳ１２０２）。
【００６２】
判定の結果、６時３０分になっていれば、ブラインド２のモータ２２を駆動させて、羽２１，・・・を１段階開かせる（ステップＳ１２０３）。
【００６３】
一方、６時３０分になっていなければ、ある一定の時間間隔をおいて時刻の読み込みを繰り返す（ステップＳ１２０１〜ステップＳ１２０２）。
【００６４】
そして、照度センサ３，３によって、屋内９２の照度を計測し、計測された照度をリモコン５に送信する（ステップＳ１２０４）。
【００６５】
リモコン５では、この計測された照度と、あらかじめ設定された設定照度Ｌ１と、を比較して、これらの大小を判定する（ステップＳ１２０５）。
【００６６】
この判定の結果、計測された照度が設定照度Ｌ１より大きければ（ステップＳ１２０５のＮＯ）、羽２１，・・・を１段階閉じさせて（ステップＳ１２０８）、再び照度を計測する（ステップＳ１２０４）。
【００６７】
一方、計測された照度が設定照度Ｌ１以下であれば（ステップＳ１２０５のＹＥＳ）、羽２１，・・・を閉じたことがあるかどうか判定し（ステップＳ１２０６）、閉じたことがなければ羽２１を１段階開いたうえで（ステップＳ１２０９）再び照度を計測し（ステップＳ１２０４）、閉じたことがあれば蛍光灯４を点灯して調光器４２によって照度をＬ１に調整して（ステップＳ１２０７）調整処理を終了する。
【００６８】
次に、図７のフローチャートを用いて、屋内９２の照度を設定照度Ｌ２に調整するステップＳ１３０について説明する。
【００６９】
なお、このステップＳ１３０は、上記したステップＳ１２０と略同様の処理となるため全体の説明は省略する。
【００７０】
このステップＳ１３０では、上記したステップＳ１２０と異なり、羽２１，・・・を閉じたことがない場合に（ステップＳ１３０６のＮＯ）、羽２１，・・・が全開かどうか判定するステップＳ１３１０を有することを特徴としている。
【００７１】
すなわち、設定照度Ｌ２がある程度大きい場合には、羽２１，・・・を全開にしても、設定照度Ｌ２以下となってしまう場合がある。このような場合に羽２１，・・・を開こうとしても、羽２１，・・・を開くことはできない。
【００７２】
したがって、羽２１，・・・が全開の場合、これ以上に羽２１，・・・が開かないようにするために、羽２１，・・・が全開かどうか判定するステップＳ１３１０を設けている。
【００７３】
そして、上記したステップＳ１３０の処理は、ステップＳ１４０についても略同様であるため、ステップＳ１４０の説明を省略する。
【００７４】
次に、本実施の形態の光量制御システム１の作用について説明する。
【００７５】
このように、本発明の光量制御システム１は、制御手段としてのリモコン５は、あらかじめ定められた設定時刻Ｔ１，Ｔ２，Ｔ３に、採光手段としてのブラインド２によって屋外光ＰＳを採り入れさせ、屋外光ＰＳを採り入れた屋内９２の明るさを計測手段としての照度センサ３，３によって計測させる。
【００７６】
そして、光量として計測された照度が不足する場合に、照明手段としての蛍光灯４によって屋内９２を照明させることを特徴とする。
【００７７】
したがって、屋外光ＰＳを十分に利用することによって、心地よい目覚めをもたらすことができる。
【００７８】
つまり、従来のように、はじめから照明手段によって屋内９２を明るくするのではなく、採光手段としてのブラインド２によって屋外光ＰＳを採り入れたうえで、不足分を照明手段としての蛍光灯４によって補っている。
【００７９】
したがって、太陽８が昇るのにつれて漸増する屋外光ＰＳを利用した自然で心地よい目覚めを得ることができるうえに、照明手段によって消費する電力を削減することもできる。
【００８０】
また、設定時刻Ｔ１，Ｔ２，Ｔ３における設定照度Ｌ１，Ｌ２，Ｌ３が定められるとともに、制御手段としてのリモコン５は、計測手段としての照度センサ３，３によって計測された屋内の照度が、設定照度Ｌ１，Ｌ２，Ｌ３よりも小さいときに、照明手段としての蛍光灯４を点灯させて不足する照度を補わせることで、屋外光ＰＳを利用しつつ、年間を通じて略同等の照度によって、心地よい目覚めをもたらすことができる。
【００８１】
すなわち、設定時刻Ｔ１，Ｔ２，Ｔ３に対応する設定照度Ｌ１，Ｌ２，Ｌ３を人為的に定めてやることで、雨の日などの日照が少ない朝や、日の出時刻の変化などによっても、屋外光ＰＳを利用しつつ、常に略同一の照度によって目覚めをもたらすことができる。
【００８２】
同様に、設定時刻Ｔ１，Ｔ２，Ｔ３における設定照度Ｌ１，Ｌ２，Ｌ３が定められるとともに、制御手段としてのリモコン５は、計測手段としての照度センサ３，３によって計測された屋内９２の照度が、設定照度Ｌ１，Ｌ２，Ｌ３よりも大きいときに、採光手段としてのブラインド２を閉じて余分な照度を減少させることで、屋外光ＰＳを利用しつつ、年間を通じて略同等の照度によって、心地よい目覚めをもたらすことができる。
【００８３】
すなわち、設定時刻Ｔ１，Ｔ２，Ｔ３に対応する設定照度Ｌ１，Ｌ２，Ｌ３を人為的に定めてやることで、晴れた夏の朝などの日照が強く屋外光ＰＳが多い朝などでも、屋外光ＰＳを利用しつつ、常に略同一の照度によって目覚めをもたらすことができる。
【００８４】
そして、設定時刻Ｔ１，Ｔ２，Ｔ３は、利用者が入力した起床時刻Ｔｉより前に段階的に複数定められるとともに、設定時刻Ｔ１，Ｔ２，Ｔ３ごとに段階的に設定照度Ｌ１，Ｌ２，Ｌ３が定められることで、屋外光ＰＳを利用しつつ、段階的に照度を高めて、心地よい目覚めをもたらすことができる。
【００８５】
例えば、設定時刻Ｔ１の時点で設定照度Ｌ１を得るようにすれば、設定時刻Ｔ２までの間には太陽８が昇って屋外光ＰＳが漸増するため、この屋外光ＰＳをブラインド２から採り入れることで屋内９２の照度もこれに伴って漸増することとなる。
【００８６】
加えて、設定時刻Ｔ２になって、屋内９２の照度を設定照度Ｌ２になるように調整する際には、屋内９２の照度がこの設定照度Ｌ２に近づいていることとなるため、急激な照度の変化によって不快に感じることもない。
【００８７】
また、計測手段としての照度センサ３を複数備えることで、迷光による誤動作を防止できるうえに、計測手段としての照度センサ３，３の設置場所による計測誤差を低減することができる。
【００８８】
つまり、照度センサ３を１つしか備えていないと、窓枠６２ａなどに反射した屋外光ＰＳがたまたま照度センサ３に入射してしまうことで、制御手段としてのリモコン５は、屋内９２の全体が反射した屋外光ＰＳと略同一の照度になっていると判定することとなる。
【００８９】
これに対して、照度センサ３を２つ以上備えるものであれば、反射した屋外光ＰＳがたまたま複数の照度センサ３，・・・に入射する確率が極めて低くなるため、上記したような誤動作の発生を抑制することができる。
【００９０】
そして、制御手段としてのリモコン５は、採光手段としてのブラインド２が手動で開かれた場合には、設定時刻Ｔ１より前にブラインド２を閉じさせることで、ブラインド２が開かれたままになって、設定照度Ｌ１を超える屋外光ＰＳが屋内９２に入り込んでしまうことを防止できる。
【００９１】
つまり、ブラインド２は、リモコン５を操作することによって手動で開閉・昇降することもできるが、ブラインド２が全開になっていたような場合には、屋外光ＰＳによって設定時刻Ｔ１よりも前に設定照度Ｌ１を超えてしまう可能性がある。
【００９２】
このような事態の発生を防止するためには、最初にブラインド２を作動させる設定時刻Ｔ１よりも前に、ブラインド２を完全に閉じさせる必要がある。そこで、ブラインド２が手動で開かれた場合には、リモコン５がこれを記憶しておき、設定時刻Ｔ１よりもある程度前の時刻にブラインド２を閉じさせることとしている。
【実施例】
【００９３】
以下、図８，９を用いて、前記実施の形態とは別の光量制御システム１の光量の調整方法について説明する。
【００９４】
なお、前記実施の形態で説明した内容と同一乃至均等な部分の説明については同一符号を付して説明する。
【００９５】
まず、構成から説明すると、本実施例の光量制御システム１は、図２に示した実施の形態の光量制御システム１と略同一である。
【００９６】
次に、図８に示すフローチャートを用いて、屋内９２の照度を設定照度Ｌ１に調整するステップＳ１６０について説明する。
【００９７】
ここにおいて、全体の流れは、図４に示すフローチャートと略同一であるから説明は省略するが、本実施例では、説明の便宜上、ステップＳ１２０をステップＳ１５０、ステップＳ１３０をステップＳ１６０、ステップＳ１４０をステップＳ１７０に代えて説明する。
【００９８】
まず、ある一定の時間間隔をおいて、制御手段としてのリモコン５の内部に設定されたタイマから現在時刻を取得し（ステップＳ１６０１）、起床時刻Ｔｉとして設定された７時の１０分前の６時５０分かどうかを判定する（ステップＳ１６０２）。
【００９９】
判定の結果、６時５０分になっていれば、ブラインド２のモータ２２を駆動させて、羽２１，・・・を全開する（ステップＳ１６０３）。
【０１００】
一方、６時５０分になっていなければ、ある一定の時間間隔をおいて時刻の読み込みを繰り返す（ステップＳ１６０１〜ステップＳ１６０２）。
【０１０１】
そして、照度センサ３，３によって、屋内９２の照度を計測し、計測された照度をリモコン５に送信する（ステップＳ１６０４）。
【０１０２】
リモコン５では、この計測された照度と、あらかじめ設定された設定照度Ｌ２と、を比較して、これらの大小を判定する（ステップＳ１６０５）。
【０１０３】
この判定の結果、計測された照度が設定照度Ｌ２より大きければ（ステップＳ１６０５のＮＯ）、羽２１，・・・を１段階閉じさせて（ステップＳ１６０７）、再び照度を計測する（ステップＳ１６０４）。
【０１０４】
一方、計測された照度が設定照度Ｌ２以下であれば（ステップＳ１６０５のＹＥＳ）、蛍光灯４を点灯して調光器４２によって照度をＬ２に調整して（ステップＳ１６０６）調整処理を終了する。
【０１０５】
次に、本実施例の光量制御システム１の作用について説明する。
【０１０６】
このように、本実施例の光量制御システム１は、制御手段としてのリモコン５は、設定時刻に採光手段としてのブラインド２を一度全開にし、０．５秒から２．０秒この状態を保った後、計測手段としての照度センサ３によって計測された屋内９２の照度を設定照度に合わせている。
【０１０７】
したがって、単純な漸増光だけでなく強い光も入るため、刺激になってより目覚めやすい状態になる。
【０１０８】
つまり、本実施例の光量制御システム１では、図９に示すように、それぞれの時刻Ｔ１，Ｔ２，Ｔ３において、屋内９２の設定照度Ｌ１，Ｌ２，Ｌ３が定められていることとは別に、各時刻においてブラインド２が一度全開にされて屋外光ＰＳを最大限に採り入れている。
【０１０９】
したがって、設定照度Ｌ１，Ｌ２，Ｌ３のように単純に照度が増加するのではなく、瞬間的に強い光が入ってくることで、軽い刺激になってより目覚めやすい状態に導きやすくなる。
【０１１０】
この刺激は、例えば、木陰で寝ている状況で、風などによって木の葉が揺れることで瞬間的に木洩れ陽が射すような効果を人為的に創り出すもので、人間にとって心地よい目覚めをもたらすことができる。
【０１１１】
加えて、本実施例の光量制御システム１の制御方法は、図６，７と図８とを比べるとわかるように、採光手段としてのブラインド２を一度全開にした後に徐々に閉じていくというきわめて簡単な制御方法となるため、制御手段などを簡素化することができる。
【０１１２】
なお、この他の構成および作用効果については、前記実施の形態と略同様であるため説明を省略する。
【０１１３】
以上、図面を参照して、本発明の最良の実施の形態及び実施例を詳述してきたが、具体的な構成は、この実施の形態及び実施例に限らず、本発明の要旨を逸脱しない程度の設計的変更は、本発明に含まれる。
【０１１４】
例えば、本実施の形態及び実施例では、採光手段としてブラインド２を用いる場合について説明したが、これに限定されるものではなく、カーテン、スクリーン、シャッター、ガラスの透明度を変化させる方式、など、屋外光ＰＳを採り入れる量を変えることができるものであればどのようなものであってもよい。
【０１１５】
また、本実施の形態及び実施例では、照明手段として蛍光灯４を天井に設置する場合について説明したが、これに限定されるものではなく、白熱灯やダイオードなどの照明できるものであればよく、設置位置も天井でなくてよい。
【０１１６】
さらに、本実施の形態及び実施例では、設定時刻Ｔ１，Ｔ２，Ｔ３として、利用者が入力した起床時刻Ｔｉを基準として内部計算する場合について説明したが、これに限定されるものではなく、あらかじめ入力された日の出の時刻を基準に定めることもできる。
【０１１７】
そして、本実施の形態及び実施例では、計測手段としての照度センサ３，３を屋内９２に設置する場合について説明したが、これに限定されるものではなく、一部の照度センサ３を屋外９１に備えて屋外９１の照度を計測すれば、計測誤差を抑え、誤動作を防止できる。
【０１１８】
また、本実施の形態及び実施例では、制御手段としてのリモコン５の制御によって、光量を制御する場合について説明したが、リモコン５にＯＮ／ＯＦＦ切り替えスイッチをＯＦＦにして、光量制御システム１が作動しなくなるようにすることも可能である。
【０１１９】
さらに、本実施の形態及び実施例では、リモコン５に設定された起床時刻Ｔｉとして代表して７時に設定する場合を例として説明したが、これに限定されるものではなく、曜日ごとに起床時刻Ｔｉを変えることができるものであってもよい。
【図面の簡単な説明】
【０１２０】
【図１】本発明の最良の実施の形態の光量制御システムの構成を説明する斜視図である。
【図２】本発明の最良の実施の形態の光量制御システムを備える建物の全体構成を説明する断面図である。
【図３】本発明の最良の実施の形態の光量制御システムに用いるブラインドの構造を説明する斜視図である。
【図４】光量制御方法の全体を示すフローチャートである。
【図５】光量制御方法の採光手段の初期化方法を示すフローチャートである。
【図６】光量制御方法の始動時の光量の調整方法を示すフローチャートである。
【図７】光量制御方法の始動時以後の光量の調整方法を示すフローチャートである。
【図８】実施例の光量制御システムの光量の調整方法を示すフローチャートである。
【図９】実施例の光量制御システムを用いた場合の屋内照度を示すグラフである。
【符号の説明】
【０１２１】
Ｌ１，Ｌ２，Ｌ３  設定照度
Ｔ１，Ｔ２，Ｔ３  設定時刻
Ｔｉ        起床時刻
ＰＳ        屋外光
ＰＬ        照明光
１          光量制御システム
２          ブラインド（採光手段）
３          照度センサ（計測手段）
４          蛍光灯（照明手段）
４２        調光器
５          リモコン（制御手段）
６２        窓
７２        人間
８          太陽
【図１】
0005130017.tif 000002
【図２】
0005130017.tif 000003
【図３】
0005130017.tif 000004
【図４】
0005130017.tif 000005
【図５】
0005130017.tif 000006
【図６】
0005130017.tif 000007
【図７】
0005130017.tif 000008
【図８】
0005130017.tif 000009
【図９】
0005130017.tif 000010